(57)【要約】【課題】  複写設定操作を簡便にする。【解決手段】  印刷装置は原稿印刷時に、印刷設定内容をカバーシートとして原稿に付与して印刷する。スキャナを備えた複合印刷装置は、原稿コピー時には前記カバーシートを付与して複写動作を行うと、カバーシートの内容に従って複写印刷を行う。【選択図】  図４
2007060121.tif 000002
【特許請求の範囲】
【請求項１】
印刷装置とPCが接続されている印刷システムにおいて、
印刷時にカバーシートに記載する印刷属性を、ユーザに指定させるか
またはデフォルトで決定し、印刷装置にカバーシート出力を指示するPCと、
PCからの指示によってカバーシートと原稿を印刷することを特徴とする印刷装置。
【請求項２】
請求項１に記載の印刷装置において、
PCから内容の指示が無くとも現在またはデフォルトの印刷属性をカバーシートの内容として、原稿とあわせて印刷することを特徴とする印刷装置。
【請求項３】
請求項１に記載の印刷装置において、
原稿のスキャン時にカバーシートを表紙として付与して搭載すると、
カバーシートと原稿とを認識し、スキャンし、カバーシートの指示に従ってスキャンした原稿の複写印刷を行うことを特徴とする複合印刷装置。
【請求項４】
請求項１に記載のカバーシートが、
カバーシート自体の複写印刷を行うか行わないかをカバーシートの内容として設定可能なことを特徴とするカバーシート。
【請求項５】
請求項１に記載の印刷装置において、
カバーシート印刷時に、カバーシート自体の複写印刷を行うか行わないかをカバーシートの内容として設定可能なことを特徴とするPC。
【請求項６】
請求項１に記載の印刷装置において、
カバーシートのスキャン時に、カバーシート自体の複写印刷を行うか行わないかを設定可能なことを特徴とする複合印刷装置。
【請求項７】
請求項１に記載のカバーシートが、
マークシートなどのような選択項目の記載が可能で、印刷されたカバーシートに複写ユーザが項目を選択することにより、複合印刷装置の複写印刷動作を制御することが可能なことを特徴とするカバーシート。
【請求項８】
請求項１に記載の印刷装置において、
カバーシート上の選択項目を認識し、その指示に従って複写印刷動作を行うことを特徴とする複合印刷装置。
【発明の詳細な説明】
【技術分野】
【０００１】
印刷装置と複合印刷装置およびPCによって実現する印刷システムに関する。
【背景技術】
【０００２】
従来は、原稿を作成したユーザが印刷装置で原本を印刷し、スキャナを備えた複合印刷装置で前記印刷された原本を複写印刷する場合、複写ユーザは原本を作成した段階での印刷動作とは独立で動作設定を新たに設定し、複写印刷を行っていた。
【０００３】
又、従来例としては、例えば特許文献１をあげることが出来る。
【特許文献１】特開２００３−６０８８１号公報
【発明の開示】
【発明が解決しようとする課題】
【０００４】
上記ワークフローは、
（１）原本を印刷する段階で既に主な項目は設定されているのにもかかわらず、新たにユーザに印刷設定動作または印刷作業を要求していることになる。例えば両面原稿を印刷装置で原本を作成し複合機で複写する場合、ユーザは複写時にも両面印刷の設定を複合印刷装置に行わなければならない。
【０００５】
（２）原本を複写して作成された印刷物は、原本を作成したユーザの意図と異なるものになる可能性がある。例えば、写真や美術的な要素の高い画像の場合、原本を作成した者はその画像が記載されているページだけはカラーで印刷して広く世の中に見てもらいたい、そのページだけは縮小されたくない、などの希望があったとする。しかし、複写動作は原本作成者の意図とは独立して行われてしまう。
【０００６】
（３）印刷装置やドキュメントサーバなどをネットワークに接続し、ドキュメントサーバから原本データや印刷方法を取得可能な印刷システムも存在するが、物理的、論理的に接続されていない複合印刷装置では、やはりユーザの手動によって設定する必要があった。
という課題があった。
【課題を解決するための手段】
【０００７】
上記問題を解決するため、以下の手段を講じる。
【０００８】
（１）印刷装置は原本印刷時に、原本の印刷方法を指示した指示書を原本のカバーシートとして、原本と同時に出力する。
【０００９】
（２）原本の複写印刷時にカバーシートを付与してスキャンさせ、複写原稿の印刷方法、フィニッシング方法などを複写ユーザが設定せずとも複合印刷装置が自動で認識し、原稿作成者の指示どおりに印刷する。
【００１０】
（３）必要であれば原本印刷ユーザはカバーシートに選択項目を用意する。
【００１１】
（４）複合印刷装置はカバーシートの選択項目を認識し、選択された動作に従って複写印刷動作を行う。
【００１２】
これらの手段を講じることにより、以下の作用を得ることができる。
【００１３】
印刷装置で出力した原本とカバーシートを使用して複合印刷装置により複写印刷を行う場合、
（１）カバーシートで複写印刷動作を指定されるので、複写ユーザ煩雑な印刷設定操作が必要ない。
【００１４】
（２）原本を作成したユーザの意図を反映した複写動作が可能である。
【００１５】
（３）物理的、論理的に接続されていない複合印刷装置でもカバーシートによる効果は有効である。
【００１６】
（４）カバーシートの選択項目を複写ユーザが選択することにより、パネルを使用しない印刷設定が可能となる。
【００１７】
（５）カバーシートには印刷設定事項が一覧されているため、複写印刷ユーザにとって安心感がある。
【発明の効果】
【００１８】
本発明により、以下の効果を得ることができる。
【００１９】
本発明による印刷装置にて生成したカバーシートと原稿を、本発明による複合印刷機においてコピーを行った場合、
（１）カバーシートで複写印刷動作を指定されるので、複写ユーザ煩雑な印刷設定操作が必要ない。
【００２０】
（２）原本を作成したユーザの意図を反映した複写動作が可能である。
【００２１】
（３）物理的、論理的に接続されていない複合印刷装置でもカバーシートによる効果は有効である。
【００２２】
（４）カバーシートの選択項目を複写ユーザが選択することにより、パネルを使用しない印刷設定が可能となる。
【００２３】
（５）カバーシートには印刷設定事項が一覧されているため、複写印刷ユーザにとって安心感がある。
【発明を実施するための最良の形態】
【００２４】
本発明は以下に詳述するように、印刷装置とスキャナを備えた他の複合印刷装置がカバーシートを介して連携し、複合印刷装置の複写印刷動作設定を簡便にするものである。
【００２５】
図１は、本実施例の印刷システムが動作可能な構成を示す図である。
【００２６】
図１において、１１０は単機能プリンタ（以下SFP（SingleFunctionPrinter）と呼ぶ）、１２０はPCであり、それぞれLAN１００に接続されている。また、１９０は複合印刷装置（以下MFP（Multi Function Printer）と呼ぶ）であり、LAN１００とは独立したLAN１９０に接続されている。１２０はファイアウォールであり、LAN１００を外部のインタネット１３０に接続する。またLAN１００はファイアウォール１２０、インタネット１３０を介して更に別のネットワーク１４０に接続される。
【００２７】
ユーザはPC１２０にて１１０に印刷ジョブを作成し、SFP１１０へ印刷ジョブを転送する。SFP１１０は印刷ジョブを受付後、印刷処理を実行する。本発明では、ユーザがSFP１１０にて印刷された原稿をMFP１９１でコピーを行うワークフローについて、より便利に、簡便にするものである。
【００２８】
図２は、一般的なパーソナルコンピュータの内部構成を示した図であり、図１におけるPC１２０の内部構成はこのようになっている。PC２００は、ROM２０２もしくはハードディスク（HD）２１１に記憶された、あるいはフレキシブルディスクドライブ（FD）２１２より供給される各種ソフトウェアを実行するCPU２０１を備え、システムバス２０４に接続される各機器を総括的に制御する。２０３はRAMで、CPU２０１の主メモリ、ワークエリア等として機能する。２０５はキーボードコントローラ（KBC）で、キーボード（KB）２０９や不図示のポインティングデバイス等からの指示入力を制御する。２０６はCRTコントローラ（CRTC）で、CRTディスプレイ（CRT）２１０の表示を制御する。２０７はディスクコントローラ（DKC）で、ブートプログラム、本発明を実現するプログラム、種々のアプリケーション、編集ファイル、ユーザファイル等を記憶するハードディスク（HD）２１１およびフレキシブルディスクコントローラ（FD）２１２とのアクセスを制御する。２０８はネットワークインタフェースカード（NIC）で、LAN２２０を介して、ネットワークプリンタ、他のネットワーク機器あるいは他のPCと双方向にデータをやりとりする。
【００２９】
なお、本実施例においては、LAN２２０は図１におけるLAN１００と同じものである。
【００３０】
図３において、３００は、本発明プログラムが稼動するMFPまたはSFPの内部構成の一例であり、図１における１１０、１９１と同等である。デバイス３００は、ＲＯＭ３０２もしくはハードディスク（HD）３１０に記憶された、あるいはフレキシブルディスクドライブ（FD）３１１より供給される各種プログラムを実行するCPU３０１を備え、システムバス３０４に接続される各機器を総括的に制御する。３０３はRAMで、CPU３０１の主メモリ、ワークエリア等として機能する。３０５はユーザインタフェースコントローラ（UIC）で、ユーザインタフェース（UI）３０９への表示、３０９からの指示入力を制御する。ファンクションコントローラ（FUNCC）３０６は各デバイス特有の機能であるファンクション（FUNC）３１０を実現／制御する。モノクロプリンタであればモノクロプリントエンジンコントローラとモノクロプリントエンジン、カラープリンタであればカラープリントエンジンコントローラとカラープリントエンジン、MFPであればデバイス３００は各機能のファンクションコントローラ（FUNCC）３０６とファンクション（FUNC）３１０をそれぞれ持つ。３０７はディスクコントローラ（DKC）で、ブートプログラム、本発明の動作を行うプログラム、種々のアプリケーション、データファイルを記憶するハードディスク（HD）３１１およびフレキシブルディスクコントローラ（FD）３１２とのアクセスを制御する。３０８はネットワークインタフェースカード（NIC）で、LAN３２０を介して、ネットワークプリンタ、他のネットワーク機器あるいは他のPCと双方向にデータをやりとりする。なお、本実施例においては、LAN３２０は図１におけるLAN１００、LAN１９０と同じものである。
【００３１】
図４は、本発明の印刷システムにおけるPCとMFPとSFPの動作モデル図である。４１０はPCであり、SFPであり、図１における１２０と同等である。４２０はSFPであり、図１における１１０と同等である。４３０はMFPであり、図1の１９０と同等である。MFP４３０とSFP４２０はLAN４４０を介して接続されている。
【００３２】
PC４１０は印刷ジョブをSFP４２０へ転送し、SFP４２０はカバーシート４２１と原稿４２２を印刷する。カバーシート４２１の内容は、原稿４２２の印刷設定が記載されている。その後、ユーザはMFP４３０でコピーを行う際、原稿４２２にカバーシート４２１を表紙として添付して実行する。するとMFPはカバーシート４２１を認識し、カバーシートに記載された設定内容で原稿４３１のコピーを行う。印刷設定内容がカバーシートに記載されているため、ユーザは必要最小限の操作、場合によってはカバーシートと原稿をADF（AutoDocumentFeeder）に載せるだけ、または載せてコピー開始ボタンを押下するだけで良い。
【００３３】
図５は本発明の動作における、SFP４２０のフローチャートである。ステップ５１０ではまず処理イベントを待っている。イベント発生時にステップ５２０で印刷ジョブであるかを判断し、印刷ジョブであればステップ５４０にてカバーシート印刷の要求の有無を判断する。カバーシートの印刷要求があれば、ステップ５５０にてカバーシートの印刷イメージデータを作成し、ステップ５５１にてカバーシートを印刷し、ステップ５６０の処理を行う。ステップ５４０にてカバーシート印刷の要求が無ければ、そのままステップ５６０の処理が行われる。ステップ５６０では、要求された原稿の印刷を実行する。その後ステップ５６１では印刷完了通知をイベント発生元へ発行し、再び処理５１０へ戻りイベント発生を待つ。ステップ５２０で発生したイベントが印刷ジョブの実行要求でなければ、ステップ５３０にて発生したイベントに対する適切な処理を行い、再びステップ５１０へ戻り、処理イベント待ちとなる。
【００３４】
図６は本発明の動作における、MFP４３０のフローチャートである。ステップ６０１ではまず処理イベントを待つ。イベント発生時にステップ６１０でスキャンジョブであるかを判断し、スキャンジョブであればステップ６３０にてスキャンを開始する。スキャンジョブでなければステップ６２０へ進む。ステップ６３１でカバーシートの有無を判定し、カバーシートがあればステップ６４０へ進み、無ければステップ６５０へ進む。ステップ６４０ではカバーシートの内容を読み取り、ステップ６４１では内容に従った印刷設定処理を行う。ステップ６４２にてカバーシートの印刷要求の有無を判別し、印刷要求があればカバーシート印刷をステップ６４３にて行い、ステップ６５１へ進む。カバーシート印刷要求が無ければステップ６４３を飛ばしてステップ６５１へ処理が移動する。処理６００はステップ６４０〜ステップ６５１の直前までの間にも並列処理でステップ６５０のスキャン処理を行っている。ステップ６５１では、スキャン処理と原稿処理を行い、その後ステップ６０１へ戻り、再び処理イベント待ちとなる。ステップ６２０では本発明の範囲外の処理を行い、再び処理イベント待ちのステップ６０１へ戻る。
【００３５】
図７は本発明における、PC４１０における印刷ドライバの処理を表すフローチャートである。ステップ７０１でイベントの発生を待ち、発生時には処理７０２へ移動し、処理を振り分ける。印刷設定要求がユーザより出された場合、ステップ７１０へ進む。ユーザからの印刷要求がイベントとして発生した場合はステップ７２０へ、その他のイベントが発生した場合はステップ７３０へ進む。ステップ７１０では印刷の設定処理を行い、再び７０１にてユーザからの要求を待つ。ステップ７２０ではカバーシートの作成が要求されていれば、ステップ７２１でカバーシートのデータを作成する。その後、ステップ７２２にて原稿データの作成、ステップ７２３では印刷ジョブの作成を行い、ステップ７２４にて作成した前記印刷ジョブをSFP４２０へ送信する。その後、ステップ７０１へ戻り、再びイベント待ちとなる。ステップ７３０では印刷設定処理、および印刷処理以外の処理を行い、再び７０１へ進みイベント待ちを行う。
【００３６】
図８は図４のカバーシート４２１の一例である。項目８１０はページ設定の項目であり、図の例では1pageから22pageと24pageから原稿の最後までは原稿サイズがA4で印刷され、23pageから24pageがA3で印刷されることを示している。また、原稿の向きが1pageから22pageと24pageから原稿終了までは縦で、23pageから24pageは横向きで印刷することを指定している。項目８２０は印刷品質で、解像度が全page1200dpiで印刷され、1pageから22pageと24pageから原稿の最後までは白黒で印刷され、23pageから24pageはフルカラーで印刷されることを示している。項目８３０は仕上げを示しており、23pageから24pageは片面印刷を、1pageから22pageと24pageから原稿終了までは両面印刷を行うことを示している。またステイプルは行わない。項目９４０ではこのカバーシートの設定が反映可能な対象機種はAA5000、AA6000、BB3100、BB3200であることを示している。項目８９７から８９９はバーコードであり、カバーシートの印刷設定内容の一部または全部がバーコードによって表現されている。これによりMFP４３０は正確にカバーシートの印刷設定内容の一部または全部を読み取ることが可能となる。
【００３７】
図９は図４のカバーシート４２１の一例である。カバーシート８００との違いは、カバーシート９００はユーザによる印刷設定記述がマークシート形式によって可能である点である。項目９１０はページ設定であり、このカバーシートではA5、B5、A4、B4、A3、B3の指定が可能である。また原稿の向きの縦、および横の指定が可能である。また部数の指定も１から９９９９９９の範囲で可能である。項目９２０では印刷品質の指定が可能であり、カバーシート９００の例では白黒またはフルカラーの指定が可能である。
【００３８】
図１０は、記憶媒体の一例であるＣＤ−ＲＯＭのメモリマップを示す図である。９９９９はディレクトリ情報を記憶してある領域で、以降のインストールプログラムを記憶してある領域９９９８および本発明を実現するプログラムを記憶してある領域９９９７の位置を示している。９９９８は、本発明を実現するプログラムをインストールするためのプログラムを記憶してある領域である。９９９７は、本発明を実現するプログラムを記憶してある領域である。本発明を実現するプログラムが印刷デバイス３００にインストールされる際には、まずインストールプログラムを記憶してある領域９９９８に記憶されているインストールプログラムがシステムにロードされ、ＣＰＵ３０１によって実行される。次に、ＣＰＵ３０１によって実行されるインストールプログラムが、本発明を実現するプログラムを記憶してある領域９９９７から本発明を実現するプログラムを読み出して、ハードディスク３１１に格納する。
【００３９】
なお、本発明は、複数の機器（例えばホストコンピュータ、インタフェース機器、リーダなど）から構成されるシステムあるいは統合装置に適用しても、ひとつの機器からなる装置に適用してもよい。
【００４０】
また、前述した実施形態の機能を実現するソフトウェアのプログラムコードを記録した記憶媒体を、システムあるいは装置に供給し、そのシステムあるいは装置のコンピュータ（またはＣＰＵやＭPＵ）が記憶媒体に格納されたプログラムコードを読み出し実行することによっても、本発明の目的が達成されることは言うまでもない。
【００４１】
この場合、記憶媒体から読み出されたプログラムコード自体が本発明の新規な機能を実現することになり、そのプログラムコードを記憶した記憶媒体は本発明を構成することになる。
【００４２】
プログラムコードを供給するための記憶媒体としては、例えば、フレキシブルディスク、ハードディスク、光ディスク、光磁気ディスク、ＣＤ−ＲＯＭ，ＣＤ−Ｒ、磁気テープ、不揮発性のメモリカード、ＲＯＭなどを用いることができる。
【００４３】
また、コンピュータが読み出したプログラムコードを実行することによって、前述した実施形態の機能が実現される他、そのプログラムコードの指示に基づき、コンピュータ上で稼動しているＯＳなどが実際の処理の一部または全部を行い、その処理によっても前述した実施形態の機能が実現され得る。
【００４４】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によっても前述した実施形態の機能が実現され得る。
【００４５】
なお、本発明は、前述した実施形態の機能を実現するソフトウェアのプログラムコードを記録した記憶媒体から、そのプログラムをパソコン通信など通信ラインを介して要求者にそのプログラムを配信する場合にも適用できることは言うまでもない。
【図面の簡単な説明】
【００４６】
【図１】本実施例の印刷システムの構成を示す図。
【図２】一般的なパーソナルコンピュータの内部構成を示した図。
【図３】一般的な印刷デバイスの内部構成を示した図。
【図４】ＰＣとＭＦＰとＳＦＰ間の動作の流れを示した図。
【図５】ＳＦＰでの動作フローチャート。
【図６】ＭＦＰでの動作フローチャート。
【図７】ＰＣでの動作フローチャート。
【図８】カバーシートの一例。
【図９】カバーシートの一例。
【図１０】本発明のプログラムの記憶媒体におけるメモリマップを示す図。
【図１】
2007060121.tif 000003
【図２】
2007060121.tif 000004
【図３】
2007060121.tif 000005
【図４】
2007060121.tif 000006
【図５】
2007060121.tif 000007
【図６】
2007060121.tif 000008
【図７】
2007060121.tif 000009
【図８】
2007060121.tif 000010
【図９】
2007060121.tif 000011
【図１０】
2007060121.tif 000012